(57)【要約】      （修正有）【課題】引抜きロールで吹き上げられた土等を、イモが露出し易い畝の幅方向中央で、ゲージ輪の前側に落とせ、その土等を畝上に案内するガイド手段の軽量化を図る茎葉処理機を提供する。【解決手段】作物の茎葉を引抜きロール１８間で挟持し、且つ引抜きロール１８を該引抜きロール１８の対向側に上動するように回転駆動させ茎葉を引き抜く茎葉引抜き装置３と、茎葉引抜き装置３はゲージ輪２０を備え、引抜きロール１８を、該引抜きロール１８によって土を後上方に吹き上げるように畝に接して設け、吹き上げられた土を受けて引抜きロール１８後方側で且つゲージ輪２０の前側の畝上面に案内する土寄せガイド４４と、引抜きロール１８で吹き上げられた土を土寄せガイド４４に案内するガイドシュート４５とを設け、土寄せガイド４４をゲージ輪２０側に支持し、ガイドシュート４５を引抜きロール１８を支持する装置フレーム２２側に支持する。  【選択図】図３
2008228618.tif 000002
【特許請求の範囲】
【請求項１】
畝（Ｒ）で栽培された作物（Ｐ）の茎葉（Ｓ）を左右一対の引抜きロール（１８）間で挟持し且つ左右各引抜きロール（１８）を該引抜きロール（１８）の対向側において上動するように回転駆動させることにより茎葉（Ｓ）を引き抜く茎葉引抜き装置（３）を備え、この茎葉引抜き装置（３）は左右引抜きロール（１８）後方側の畝（Ｒ）上を転動すると共に該引抜きロール（１８）の高さ調整を行うゲージ輪（２０）を備え、前記左右の引抜きロール（１８）を、該引抜きロール（１８）によって土を後上方に吹き上げるように畝（Ｒ）に接して設け、この引抜きロール（１８）で吹き上げられた土を受けて引抜きロール（１８）後方側で且つゲージ輪（２０）の前側の畝（Ｒ）上面に案内する土寄せガイド（４４）と、引抜きロール（１８）で吹き上げられた土を土寄せガイド（４４）に案内するガイドシュート（４５）とを設け、土寄せガイド（４４）をゲージ輪（２０）側に支持し、ガイドシュート（４５）を引抜きロール（１８）を支持する装置フレーム（２２）側に支持したことを特徴とする茎葉処理機。
【請求項２】
ガイドシュート（４５）を引抜きロール（１８）の上方側に配置し、土寄せガイド（４４）をガイドシュート（４５）の土送出口（５６）に対向状としてゲージ輪（２０）の上部側に配置したことを特徴とする請求項１に記載の茎葉処理機。
【請求項３】
ゲージ輪（２０）は畝（Ｒ）に沿うように正面視鼓状に形成され、土寄せガイド（４４）は板材から形成されていて中央壁部（５０）と該中央壁部（５０）の左右側縁から左右方向外方に向けて斜め上方側に延びる左右壁部（５１）とからゲージ輪（２０）に沿った形状に形成され、且つ該土寄せガイド（４４）は前下がり状とされてゲージ輪（２０）の上部側に配置されていることを特徴とする請求項１又は２に記載の茎葉処理機。
【請求項４】
ガイドシュート（４５）の上壁（５５）の土送出口（５６）側に、引抜きロール（１８）によって吹き上げられてガイドシュート（４５）の上壁（５５）内面側に沿って土送出口（５６）へと移動する土の速度を落として土寄せガイド（４４）に落下させるガイド部（５５ｂ）が設けられていることを特徴とする請求項１，２又は３に記載の茎葉処理機。
【発明の詳細な説明】
【技術分野】
【０００１】
本発明は、圃場で栽培されたジャガイモ等の作物の塊茎を収穫する前に、該作物の茎葉を除去処理する茎葉処理機に関するものである。
【背景技術】
【０００２】
従来、畝で栽培されたジャガイモの塊茎（以下、単にイモという）を収穫する前にジャガイモの茎葉の除去処理を行うのに使用される茎葉処理機があり、該茎葉処理機は、茎葉を細断する茎葉細断装置と、この茎葉細断装置の後方に配置された左右一対の引抜きロールとを備えており、トラクタ等の走行体の後部に装着可能に構成されている（特許文献１参照）。
この茎葉処理機によって茎葉を除去するには、該茎葉処理機を畝の長手方向に沿って移動させながら茎葉細断装置によって茎葉を根本側の一部を残して細断し、残った根本側の茎葉を左右一対の引抜きロールで挟持し且つ左右各引抜きロールを、該引抜きロールの対向側において上動するように高速で回転駆動させる。
【０００３】
すると、畝にイモを残したまま茎葉が引き抜かれる。
前記茎葉処理機にあっては、引抜きロールで茎葉の根本側を引き抜くときに、少しイモが持ち上げられて、該イモが畝から露出する場合があり、イモが畝から露出すると該イモは日光にさらされるが、イモが日光にさらされ続けるとその部分が緑色に変色し、外観品質上問題があるだけでなく、変色した表面部分にエグ味が増加するなど商品価値が低下する。
そこで、従来の茎葉処理機にあっては、引抜きロールを畝に接するように設けることにより、茎葉を引き抜く際に畝の土が左右の引抜きロールで掻き込まれて引き抜かれた茎葉と共に後上方に吹き上げられるように構成され、この吹き上げられた土及び茎葉を、ガイドシュート（ガイド手段）によって引抜きロール後方の畝上面に案内して落とすことにより、土及び茎葉によってイモを被覆してイモの緑化を防止するようにしている。
【０００４】
また、引抜きロールの後方には、畝上を転動すると共に該引抜きロールの高さ調整を行うゲージ輪が設けられており、引抜きロールで吹き上げられた土及び茎葉をゲージ輪の前側に落として、畝上に落下させた土及び茎葉をゲージ輪で押さえることにより確実にイモを被覆するようにしている。
【特許文献１】特開２００４−１９４５９４号公報
【発明の開示】
【発明が解決しようとする課題】
【０００５】
前記従来の茎葉処理機にあっては、ガイドシュートから送り出される土及び茎葉の落下位置を安定化させるべく、ガイドシュートの土送出口を畝近くに位置させているが、そうするとガイドシュートが大型となり重量が大であるという問題がある。
また、ガイドシュートの土送出口を畝から離して形成してガイドシュートを小型化すると、畝一面に土及び茎葉が飛散してしまい、イモの被覆が不完全となる場合があると共に、ガイドシュートは引抜きロールを支持する装置フレーム側に支持されており、ゲージ輪の上下位置調整をする場合、ガイドシュートとゲージ輪とが別々の動きをするので、ガイドシュートから送り出される土及び茎葉を確実にゲージ輪の前側に落とすのが困難となる場合があるという問題が生じる。
【０００６】
そこで、本発明は、前記問題点に鑑みて、引抜きロールで吹き上げられた土等を、作物の塊茎が露出し易い畝の幅方向中央側に集中的に且つゲージ輪の前側に確実に落とすことができ、しかも引抜きロールで吹き上げられた土等を畝上に案内するガイド手段の軽量化を図ることができる茎葉処理機を提供することを目的とする。
【課題を解決するための手段】
【０００７】
前記技術的課題を解決するために本発明が講じた技術的手段は、畝で栽培された作物の茎葉を左右一対の引抜きロール間で挟持し且つ左右各引抜きロールを該引抜きロールの対向側において上動するように回転駆動させることにより茎葉を引き抜く茎葉引抜き装置を備え、この茎葉引抜き装置は左右引抜きロール後方側の畝上を転動すると共に該引抜きロールの高さ調整を行うゲージ輪を備え、前記左右の引抜きロールを、該引抜きロールによって土を後上方に吹き上げるように畝に接して設け、この引抜きロールで吹き上げられた土を受けて引抜きロール後方側で且つゲージ輪の前側の畝上面に案内する土寄せガイドと、引抜きロールで吹き上げられた土を土寄せガイドに案内するガイドシュートとを設け、土寄せガイドをゲージ輪側に支持し、ガイドシュートを引抜きロールを支持する装置フレーム側に支持したことを特徴とする。
【０００８】
また、ガイドシュートを引抜きロールの上方側に配置し、土寄せガイドをガイドシュートの土送出口に対向状としてゲージ輪の上部側に配置するのがよい。
また、ゲージ輪は畝に沿うように正面視鼓状に形成され、土寄せガイドは板材から形成されていて中央壁部と該中央壁部の左右側縁から左右方向外方に向けて斜め上方側に延びる左右壁部とからゲージ輪に沿った形状に形成され、且つ該土寄せガイドは前下がり状とされてゲージ輪の上部側に配置されているのがよい。
また、ガイドシュートの上壁の土送出口側に、引抜きロールによって吹き上げられてガイドシュートの上壁内面側に沿って土送出口へと移動する土の速度を落として土寄せガイドに落下させるガイド部が設けられているのがよい。
【発明の効果】
【０００９】
本発明によれば、引抜きロールで吹き上げられた土を畝上に案内するガイド手段を、引抜きロールで吹き上げられた土を受けて引抜きロール後方側で且つゲージ輪の前側の畝上面に案内する土寄せガイドと、引抜きロールで吹き上げられた土を土寄せガイドに案内するガイドシュートとによって構成することにより、ガイドシュートの土送出口を畝近くに位置させる必要がないので、ガイドシュートの小型化が図れ、引抜きロールで吹き上げられた土を畝上に案内するガイド手段の軽量化を図ることが可能であり、しかも、ガイドシュートは引抜きロールを支持する装置フレーム側に支持されると共に土寄せガイドはゲージ輪側に支持されているので、ゲージ輪によって引抜きロールの上下位置調整を行っても土寄せガイドのゲージ輪に対する相対位置は変わらず、該土寄せガイドによって引抜きロールで吹き上げられた土をゲージ輪の前側の畝上に確実に落とすことができると共に、ガイドシュートを小型化しても土寄せガイドによって引抜きロールで吹き上げられた土をイモが露出し易い畝の幅方向中央側に集中的に落とすことができ、畝から露出したイモを確実に被覆して緑化を防止することができる。
【発明を実施するための最良の形態】
【００１０】
以下、本発明の実施の形態を図面を参照して説明する。
図２〜図５において、１はジャガイモ等の作物Ｐの塊茎Ｔ（イモ）を収穫する（掘り取る）前に、その茎葉Ｓを除去処理するのに使用される茎葉処理機であり、この茎葉処理機１は、トラクタ等の走行体の後部に装着されて畝に沿って圃場を移動しながら茎葉Ｓの除去処理をする。
この茎葉処理機１は、前部の茎葉細断装置２と、後部の茎葉引抜き装置３とから主構成され、茎葉引抜き装置３はイモＴを畝Ｒに残したまま茎葉Ｓを引き抜くものであり、茎葉細断装置２は茎葉Ｓを引き抜く前に該茎葉Ｓの余分な部分を細断処理（粉砕処理）するものである。
【００１１】
本実施の形態における茎葉処理機１は、２畝対応の茎葉細断装置２の後方に、１畝対応の茎葉引抜き装置３を左右一対備えていて、畝Ｒの長手方向に沿って移動しながら２畝を同時に（一工程で）処理するように構成されている。
なお、１畝のみ又は３畝以上を処理するようにしたものであってもよい。
茎葉細断装置２は、トラクタの後部に三点リンク機構を介して昇降自在で且つ着脱自在に装着される装置フレーム４と、この装置フレーム４に支持されていて茎葉Ｓを細断する細断部５と、ゲージ輪６とを有する。
【００１２】
装置フレーム４の前部には、三点リンク機構のトップリンクの後端側に取り付けられる上部のトップリンク取付部７と、三点リンク機構の左右ロワーリンクの後端側に取り付けられる下部の左右ロワーリンク取付部８とを備えている。
ゲージ輪６は装置フレーム４の後端側の左右両側に設けられていて畝Ｒ間の溝を転動し、装置フレーム４の後部を支持して細断部５を所定高さに保持する。
このゲージ輪６は装置フレーム４に対して上下位置調整自在に取り付けられており、ゲージ輪６の装置フレーム４に対する上下位置を変えることにより細断部５の高さが調整自在とされている。
【００１３】
細断部５は、図２及び図６に示すように、左右方向の軸心を有する前後一対の回転軸９と、前後の各回転軸９に取り付けられた細断刃１０とから構成されている。
前後各回転軸９に設けられた細断刃１０は、回転軸９に固定されたブラケットに左右軸回りに回転自在に取り付けられたフレール刃等によって構成されている。
前側の回転軸９は後側の回転軸９よりも上位に配置されており、前側の回転軸９に設けられた細断刃１０によって畝Ｒの上方側の茎葉Ｓを根本側の一部を残して細断し、後側の回転軸９に設けられた細断刃１０によって畝Ｒの左右両側の茎葉Ｓが細断されるように、前後の回転軸９に対して細断刃１０が配置されている。
【００１４】
細断部５の上方及び左右両側は装置フレーム４に設けられたカバー部材１１によって覆われている。
装置フレーム４の前端側の左右方向中央部には、トラクタのＰＴＯ軸にユニバーサルジョイントを介して連動連結される入力軸１２が設けられ、この入力軸１２に伝達されるＰＴＯ軸からの動力は、ギヤケース１３内の動力伝達機構、ギヤケース１３から左方に突設された筒体１４内の伝動軸、筒体１４の左端側に連結された伝動ケース１５内の動力伝達機構等を経て前後の回転軸９に伝達され、該伝達された動力によって前後の回転軸９が図２の矢示Ａ方向に回転駆動されて細断された茎葉Ｓが前方側に飛ばされるように構成されている。
【００１５】
また、入力軸１２に伝達された動力は、装置フレーム４の前部に設けられた動力伝達装置１６によって左右に分岐され、この左右に分岐された動力は、伝動軸１７を介して後方の左右の各茎葉引抜き装置３へと送られる。
左右各茎葉引抜き装置３は、茎葉細断装置２によって細断されて残った根本側の茎葉Ｓを挟持して引き抜く左右一対の引抜きロール１８と、この左右引抜きロール１８の前側近傍に配置されていて細断後の残った茎葉Ｓを畝Ｒの左右方向（幅方向）中央側へと掻き寄せる（掻き集める）掻寄手段１９と、引抜きロール１８の後方に配置されていて引抜きロール１８の高さ調整をするゲージ輪２０と、左右の引抜きロール１８で吹き上げれられた土を引き抜かれた茎葉Ｓと一緒に引抜きロール１８の後方で且つゲージ輪２０の前側に案内するガイド手段２１と、これら引抜きロール１８，掻寄手段１９，ゲージ輪２０，ガイド手段２１を支持する装置フレーム２２とを有する。
【００１６】
掻寄手段１９及び引抜きロール１８は、前記入力軸１２から前記伝動軸１７を介して伝達される動力によって駆動される。
左右各茎葉引抜き装置３の装置フレーム２２は茎葉細断装置２の装置フレーム４の後部に、上下一対のリンクからなる昇降リンク機構２３を介して上下動自在に支持されている。
掻寄手段１９は、細断されずに残った茎葉Ｓを畝Ｒの左右方向中央側に掻き寄せることで該茎葉Ｓが左右の引抜きロール１８間に進入し易いようにするものであり、左右一対の掻寄せベルト２４と、この掻寄せベルト２４を駆動する図示省略の駆動機構とを備えている。
【００１７】
左右の掻寄せベルト２４は、ゴム等の弾性体によって構成され、エンドレスのベルト本体の外周に弾性変形可能な突起（タイン）を周方向に間隔をおいて設けてなり、左右の掻寄せベルト２４を対向側において下側から上側に移動するように周方向に循環回走させることにより、細断されずに残った茎葉Ｓがタインによって畝Ｒの左右方向中央側に掻き寄せられるよう構成されている。
ゲージ輪２０は、前端側が装置フレーム２２に左右軸回りに回動自在に支持された左右一対の支持アーム２５の後部間に配置されていて、該左右支持アーム２５に左右軸回りに回転自在に支持されており、支持アーム２５をその前端側の枢支部２６を支点として上下に揺動させることによりゲージ輪２０が上下動可能とされている。
【００１８】
前記左右各支持アーム２５の長さ方向中途部には連結部材２７の一端側が枢支連結され、左右各連結部材２７の他端側はそれぞれレバー部材２８に枢支連結され、左右各レバー部材２８の下端側は左右方向の支軸２９によって連結されていると共に該支軸２９の軸心回りに回動自在に装置フレーム２２に支持されており、一方のレバー部材２８は、該レバー部材２８の先端側と装置フレーム２２との間に介装された伸縮自在な高さ調整機構３０によって下端側の前記支軸２９回りに揺動操作可能とされ、レバー部材２８を揺動操作することによりゲージ輪２０の装置フレーム２２に対する上下位置が調整可能とされている。
【００１９】
また、ゲージ輪２０は、本実施の形態では、図７に示すように、左右の輪体３１間に架け渡されたゴム板材からなる筒部材３２の左右方向中央側をゴム製又は布製の平ベルトによって絞めることにより、畝Ｒの形状に略沿うように正面視鼓状に形成されていて、引抜きロール１８の後方の畝Ｒ上を転動して、装置フレーム２２の後部を支持すると共に茎葉Ｓを引き抜いた後の畝Ｒを上から押さえる。
左右の引抜きロール１８は、図８、図９、図１２に示すように、側面視で楕円球状に形成され、表面に多数の突起３３を備えている。
【００２０】
この左右各引抜きロール１８は、本実施の形態では、ゴム様弾性体から前後開口状の筒状（中空状）に形成されたロール本体３４と、このロール本体３４が取り付けられる芯体３５と、前記ロール本体３４に被せられていて該ロール本体３４に締まり嵌め状態で外嵌固定されたゴム様弾性体からなる弾性カバー３６と、この弾性カバー３６の表面に設けられたゴム様弾性体からなる前記多数の突起３３とから主構成されている。
芯体３５は、有底円筒状の前後の取付部３７Ｆ，３７Ｒと、この前後の取付部３７Ｆ，３７Ｒを連結する筒部３８と、この筒部３８の後端側に連結された軸嵌合部３９とから主構成され、ロール本体３４内に挿入されている。
【００２１】
ロール本体３４は、その前後端部側が芯体３５の前後の取付部３７Ｆ，３７Ｒに金属製等のバンド等によって締付け固定されることにより芯体３５に取り付けられると共にロール本体３４の前後端部の開口部が芯体３５の前後の取付部３７Ｆ，３７Ｒによって閉塞されている。
芯体３５の後側の取付部３７Ｒには、バルブが取り付けられる空気流通孔４０が形成され、そして、バルブを介して空気流通孔４０からロール本体３４内に圧縮空気を充填して該ロール本体３４を膨らませることにより該ロール本体３４が楕円球状を呈する。
【００２２】
弾性カバー３６は、前後開口状の筒状に形成されていて、ロール本体３４内から空気を抜いた状態で該ロール本体３４に被せられ、ロール本体３４に弾性カバー３６を被せた状態でロール本体３４内に空気を充填してロール本体３４を膨らませると、該弾性カバー３６が伸張し、該弾性カバー３６が収縮しようとする力によって該弾性カバー３６がロール本体３４に密着状に取付固定されている。
この弾性カバー３６の前端側は、ロール本体３４の前端側と共に芯体３５の前側の取付部３７に締め付け固定される。
【００２３】
前記突起３３は、本実施の形態では、該突起３３を一体形成したゴム板４１を弾性カバー３６に貼り付けることにより弾性カバー３６の表面に設けられている（なお、突起３３は弾性カバー３６に直接一体形成されていてもよいし、ロール本体３４の表面に一体形成してもよい）。
また、突起３３は、弾性カバー３６（ロール本体３４）からの突出方向の基端側が截頭円錐状で先端側が円柱状に形成され、ロール本体３４の前後方向（軸方向）中途部の前後方向所定範囲（少なくとも茎葉挟持部分）に、ロール本体３４の周方向全周に亘って設けられている。
【００２４】
また、突起３３は、一方の引抜きロール１８の突起３３の円柱部分が他方の引抜きロール１８の突起３３の円柱部分間に挿入される程度の間隔をおいて設けられている。
芯体３５の筒部３８には前方側から回転支軸４２が挿入され、該回転支軸４２に芯体３５が取付固定されると共に、回転支軸４２の後端側が芯体３５の軸嵌合部３９にスプライン嵌合（又はキー結合等）によって連結されていて、引抜きロール１８は回転支軸４２と一体回転する。
回転支軸４２は、その前端側が装置フレーム２２に設けられた軸支持体４３に軸心回りに回転自在に支持され、前記入力軸１２から前記伝動軸１７を介して伝達される動力によって回転駆動される。
【００２５】
左右の引抜きロール１８は、左右方向において相互に押しつけられて密接状として配置され、且つ該引抜きロール１８の対向側（密接側）において上動（下側から上側に移動）するように高速で回転駆動される（図１２の矢示Ｃ方向に回転駆動される）。
この茎葉引抜き装置３にあっては、掻寄手段１９及び左右の引抜きロール１８を駆動させて、茎葉処理機１を畝Ｒの長手方向に沿って前進させることにより、茎葉細断装置２で細断されずに残った茎葉Ｓが掻寄手段１９によって掻寄せられると共に引き起こされ、この掻き寄せられた茎葉Ｓが左右の引抜きロール１８の合わせ目に相対的に進入し、該茎葉Ｓが左右の引抜きロール１８間で挟持されて上方に引っ張られ、これにより、畝ＲにイモＴを残したまま茎葉Ｓが引き抜かれるように構成されている。
【００２６】
また、左右の引抜きロール１８は、前上がり傾斜状（回転軸心が前方に行くに従って上方に移行する傾斜状）として畝Ｒに接して配置されており、畝Ｒの土は左右の引抜きロール１８間に掻き込まれて引き抜かれた茎葉Ｓと共に後上方に吹き上げられるように構成されており、また、この吹き上げられた土及び茎葉Ｓは、ガイド手段２１によって引抜きロール１８後方で且つゲージ輪２０の前側の畝Ｒの中央側に案内され、茎葉Ｓを引き抜いた後のイモＴを被覆してイモＴの露出を防ぐように構成されている。
前記構成の引抜きロール１８にあっては、引抜きロール１８の表面側に多数の突起３３が設けられていることにより、引抜きロール１８間で茎葉Ｓを挟持する際に茎を過度に押し潰すことなく挟むことができるので、該茎葉Ｓが中途部分で引き千切られることがない。
【００２７】
また、多数の突起３３によって茎葉Ｓをしっかりと挟むことができるので、潰れた茎から出る汁等によって引抜きロール１８が濡れても滑りが発生し難く、茎葉Ｓを確実に引き抜くことができる。
前記突起３３によって、茎葉Ｓの引抜きミスを防止でき、引抜き精度を向上させることができる。
また、潰れた茎から出る汁は、突起３３間を通して下方に抜ける。
なお、突起３３は図例のものに限定されることはなく、引抜きロール１８間で茎葉Ｓを挟持する際に茎を過度に押し潰さないこと、茎が潰れて発生する汁が下方に抜けることを満たせば、板状等のように引抜きロール１８表面に沿う方向にある程度の長さを有する突起３３であってもよい。
【００２８】
また、ロール本体３４に被せられた弾性カバー３６に突起３３を設けることで、突起３３が損傷又は摩耗したときに、引抜きロール１８全体を交換しなくても弾性カバー３６を取り替えるだけでよく経済的である。
また、ロール本体３４内の空気を抜いた状態で弾性カバー３６をロール本体３４に被せ、該状態でロール本体３４内に空気を充填して弾性カバー３６を伸張させることにより該弾性カバー３６がロール本体３４に取付固定されるよう構成されているので、弾性カバー３６の装着が容易であると共にロール本体３４から空気を抜けば弾性カバー３６の取外しが容易に行え、突起３３が損傷又は摩耗したときの弾性カバー３６の交換が簡単に行える。
【００２９】
ガイド手段２１は、図１に示すように、引抜きロール１８で吹き上げられた土を受けて引抜きロール１８の後方側で且つゲージ輪２０の前側の畝Ｒ上面に案内する土寄せガイド４４と、引抜きロール１８で吹き上げられた土を土寄せガイド４４に案内するガイドシュート４５とから構成されている。
土寄せガイド４４はゲージ輪２０の上部側に配置されてゲージ輪２０を支持する支持アーム２５に取り付けられた取付部材４６に取り付けられており、したがって、土寄せガイド４４はゲージ輪２０との相対位置が変わらずゲージ輪２０と一体的に動くように設けられている。
【００３０】
また、ガイドシュート４５は引抜きロール１８の上方に配置されて装置フレーム２２に取り付けられており、したがって、ガイドシュート４５は引抜きロール１８との相対位置が変わらないように設けられている。
土寄せガイド４４が取り付けられる取付部材４６は、ゲージ輪２０の上部側の左右両側に縦向き（実施形態では後傾状）に配置された左右の側杆部４７と、ゲージ輪２０の上方に左右方向に配置されていて左右の側杆部４７の上端同志を連結する取付杆部４８とから構成され、左右の側杆部４７の下端側が、左右方向で同じ側にある支持アーム２５の後端側に固定のブラケット４９にボルト固定されている。
【００３１】
土寄せガイド４４は、図１、図７、図１０、１１に示すように、板材によってゲージ輪２０の左右幅と略同じ左右幅に形成されており、中央壁部５０と、該中央壁部５０の左右側縁から左右方向外方に向けて斜め上方側に延びる左右壁部５１とからゲージ輪２０に沿った形状に形成されていて、ゲージ輪２０の上面側に近接配置されている。
また、この土寄せガイド４４は前下がり状とされて配置されていて中央壁部５０が前方に向かうに従って下方に移行する傾斜状とされており、この土寄せガイド４４の中央壁部５０の上端側には下方に開放状のフック状に形成された被取付部５２が設けられ、この被取付部５２が取付部材４６の取付杆部４８に引っ掛けられて該取付杆部４８にボルト・ナット等からなる固定具を用いて取付固定されることにより、土寄せガイド４４が取付部材４６に前下がり傾斜状に取り付けられている。
【００３２】
また、土寄せガイド４４の中央壁部５０の左右幅は、下方に向かうに従って漸次幅狭となるように形成されていると共に、該中央壁部５０の下端側はゲージ輪２０の上部側の左右方向中央部の前端側に位置している。
したがって、この土寄せガイド４４は、引抜ロールで吹き上げられてガイドシュート４５によって案内される土及び茎葉Ｓを比較的広い範囲で受けると共に、該受け止めた土及び茎葉Ｓは、下方に向けて滑り落ちながら左右方向中央に集められ、イモＴが露出し易い畝Ｒの左右方向中央部に集中的に落下する。
【００３３】
ガイドシュート４５は、左右引抜きロール１８の左右幅よりも広い左右幅で且つ土寄せガイド４４及びゲージ輪２０と略同じ左右幅に形成され、左右の側壁５３と前壁５４と上壁５５とから形成されていて下方及び後方に開放状とされており、背面開口の上部側が引抜きロール１８で吹き上げられた土及び茎葉Ｓを土寄せガイド４４へと送り出す土送出口５６とされている。
前壁５４は上方に向かうに従って後方に移行する傾斜状とされており、この前壁５４上端と上壁５５前端とのコーナー部分５７は前上方に向けて凸となる側面視円弧状に形成されており、前壁５４と上壁前部側部分５５ａとがコーナー部分５７から、該コーナー部分５７の円弧の接線方向に延出されている。
【００３４】
前壁５４の下端側には切欠き開口５８が形成され、この切欠き開口５８は引抜きロール１８が正常に動いているか否か（引抜きロール１８に茎葉Ｓがつまっていないかどうか）オペレータが前方側から（トラクタ側）から確認（監視）するための作動点検窓とされている。
また、上壁５５は、その前部側部分５５ａ及び後部側部分５５ｂが後方に向かうに従って下方に移行する傾斜状とされ、且つ上下方向に対して前部側部分５５ａが緩傾斜で後部側部分５５ｂが急傾斜となるように前後方向中途部で屈曲されている。
【００３５】
なお、上壁５５の前部側部分５５ａは水平状とされていてもよい。
また、上壁５５の後部側部分５５ｂは、土送出口５６から送り出される土及び茎葉Ｓを土寄せガイド４４の上部側の広い部分に案内すべく該土寄せガイド４４の上部側に向けて指向している。
前記構成のガイドシュート４５にあっては、引抜きロール１８によって吹き上げられた土及び茎葉Ｓは、前壁５４及びコーナー部分５７の内面に沿って後方側へと移動して上壁前部側部分５５ａに案内され、上壁前部側部分５５ａから上壁後部側部分５５ｂへと移動して土送出口５６から送り出されて土寄せガイド４４上へと落下する。
【００３６】
このとき、コーナー部分５７及び上壁前部側部分５５ａに沿って移動する土及び茎葉Ｓの移動方向に対して上壁後部側部分５５ｂが交差する形で形成されているので、土及び茎葉Ｓは上壁前部側部分５５ａから上壁後部側部分５５ｂへと移動する過程で移動方向の勢いが減少して土寄せガイド４４へと送出するのに適した速度に失速し、他に飛び散ることなく土寄せガイド４４上に確実に載る。
すなわち、吹き上げられた土及び茎葉Ｓを自然落下によって土寄せガイド４４に落とすとすると土及び茎葉Ｓが広範囲に散らばる傾向となり、勢いよく土寄せガイド４４に衝当させると当たった土等が飛び散ることとなるが、本実施の形態では、ガイドシュート４５の上壁５５の後部側部分５５ｂが、引抜きロール１８によって吹き上げられてガイドシュート４５の上壁５５内面側に沿って土送出口５６へと移動する土の速度を適度に落として土寄せガイド４４に落下させるガイド部とされているので、ガイドシュート４５から送り出される土及び茎葉Ｓを確実に土寄せガイド４４上に載せることができる。
【００３７】
前記茎葉処理機１にあっては、引抜きロール１８で吹き上げられた土及び茎葉Ｓをゲージ輪２０の前側に落とすと、ゲージ輪２０の高さが上がって引抜きロール１８の高さも上がることとなるので、作業開始前に、このゲージ輪２０の前側に落とされる土及び茎葉Ｓの量を考慮してゲージ輪２０の高さを設定し、少し試運転をして微調整する。
【図面の簡単な説明】
【００３８】
【図１】引抜きロール、ガイドシュート及び土寄せガイドの配置関係を示す側面一部断面図である。
【図２】茎葉処理機の側面図である。
【図３】茎葉処理機の平面図である。
【図４】茎葉処理機の正面図である。
【図５】茎葉処理機の背面図である。
【図６】細断部の平面図である。
【図７】ゲージ輪、土寄せガイド及びガイドシュートの配置関係を示す背面図である。
【図８】引抜きロールの側面図である。
【図９】引抜きロールの側面断面図である。
【図１０】土寄せガイドの正面図である。
【図１１】（ａ）は土寄せガイドの側面図、（ｂ）は図１０のＢ−Ｂ線矢示断面である。
【図１２】引抜きロールの茎葉引抜き状態を示す正面図である。
【符号の説明】
【００３９】
３    引抜き装置
１８    引抜きロール
２０    ゲージ輪
２２    装置フレーム
４４    土寄せガイド
４５    ガイドシュート
５０    中央壁部
５１    左右壁部
５５    上壁
５５ｂ  上壁後側部分（ガイド部）
５６    土送出口
Ｐ    ジャガイモ（作物）
Ｒ    畝
Ｓ    茎葉
【図１】
2008228618.tif 000003
【図２】
2008228618.tif 000004
【図３】
2008228618.tif 000005
【図４】
2008228618.tif 000006
【図５】
2008228618.tif 000007
【図６】
2008228618.tif 000008
【図７】
2008228618.tif 000009
【図８】
2008228618.tif 000010
【図９】
2008228618.tif 000011
【図１０】
2008228618.tif 000012
【図１１】
2008228618.tif 000013
【図１２】
2008228618.tif 000014